(57)【要約】【課題】  従来品と外観、形状、強度などが劣ることなく、組み立てが容易なグレーチングおよびその製造方法を提供する。【解決手段】  主部材の挿通穴に挿通された断面形状が屋根型の棒状体または平板棒状体の連結片が長手方向左右から押さえ込まれて、挿通穴において連結片両側端と少なくとも他の一箇所が挿通穴壁に僅かに食い込み、また、各主部材間における連結片の両側が変形して、各主部材の間隔が保持かつ固定されている。【選択図】        図６
2005036480.tif 000002
【特許請求の範囲】
【請求項１】
並列に成型された各主部材と各主部材に設けた挿通穴を挿通した連結片からなるグレーチングであって、連結片は断面形状が屋根型の棒状体または平板棒状体が長手方向左右から押さえ込まれて、挿通穴において連結片両側端と少なくとも他の一箇所が挿通穴壁に僅かに食い込んで固定され、また、各主部材間における連結片の両側が変形して各主部材の間隔が保持かつ固定されていることを特徴とする溝蓋などのグレーチング。
【請求項２】
連結片の挿通穴が三角形、円形、四角形のいずれかである請求項１に記載の溝蓋などのグレーチング。
【請求項３】
並列に成型された各主部材に設けた連結片の挿通穴に、断面形状が屋根型または平板状の棒状体連結片を挿通し、連結片を長手方向左右から押さえ込み、連結片の両側端と少なくとも他の一箇所を挿通穴壁に僅かに食い込ませて固定し、また、各主部材間における連結片の両側を変形して各主部材の間隔を保持かつ固定することを特徴とする溝蓋などのグレーチングの製造方法。
【発明の詳細な説明】
【技術分野】
【０００１】
本発明は、溝蓋などに使用するグレーチングに関するもので、特に、建物や公園などに付属して設けられる溝などに使用され、製作が容易であって美粧な溝蓋などのグレーチングに関するものである。
【背景技術】
【０００２】
従来、溝蓋などには、断面形状がＴ字形、Ｉ字形などの形状をなす主部材を所要間隔に間隔保持材を用い並列に組み立て、主部材の両端面に側板として短冊状の副部材を用い、溶接するなどして固定したグレーチングが用いられており、主部材の成型方法やグレーチングの組み立て方法など多くの製造方法が提案されている。
例えば、並列に配置された主部材の挿通穴を介して、中空丸管を連結部材として挿通し、主部材間において中空丸管を挟圧プレスして、中空丸管の主部材間部分を断面縦長の楕円形に変形させて固定するようにしたグレーチングが提案されている。
【０００３】
【特許文献１】特開平０８−０１０８８０号公報
【特許文献２】特開平０９−３２８８０８号公報
【発明の開示】
【発明が解決しようとする課題】
【０００４】
グレーチングの製造に用いる主部材は、ステンレス鋼などを用いＴダイなどにより引き抜き成型するか、またはステンレス鋼板を折り曲げするなどして成型して製作し、所要寸法に切断されて供給されるが、副部材として使用される間隔保持材、連結片、側板などもステンレス鋼などを用いて成型され、これらを用いて組み立てられるもので、手間がかかり高価となることが避けられなかった。
本発明は、並列に成型された各主部材に設けた挿通穴に連結片を挿通して、各主部材を連結するようにしたグレーチングにおいて、従来品と外観、形状、強度などが劣ることなく、また、連結片として中空丸管を用いる前記特許文献のグレーチングよりも経済的で、かつ、組み立てが容易なグレーチングおよびその製造方法を提供することを目的とする。
【課題を解決するための手段】
【０００５】
本発明は、並列に成型された各主部材と各主部材に設けた挿通穴を挿通した連結片からなるグレーチングにおいて、連結片を特定の構成とすることにより、前記の目的を達成することができたのである。
すなわち、本発明は、並列に成型された各主部材と各主部材に設けた挿通穴を挿通した連結片からなるグレーチングであって、連結片は断面形状が屋根型の棒状体または平板棒状体が長手方向左右から押さえ込まれて、挿通穴において連結片両側端と少なくとも他の一箇所が挿通穴壁に僅かに食い込んで固定され、また、各主部材間における連結片の両側が変形して各主部材の間隔が保持かつ固定されていることを特徴とする溝蓋などのグレーチングである。
さらに、本発明は、並列に成型された各主部材に設けた連結片の挿通穴に、断面形状が屋根型の棒状体または平板棒状体の連結片を挿通し、連結片を長手方向左右から押さえ込み、連結片の両側端と少なくとも他の一箇所を挿通穴壁に僅かに食い込ませて固定し、また、各主部材間における連結片の両側を変形して各主部材の間隔を保持かつ固定することを特徴とする溝蓋などのグレーチングの製造方法である。
【発明の効果】
【０００６】
本発明によれば、連結片を主部材の挿通穴に挿通して、この連結片の長手方向左右から押さえ込むだけで、連結片が主部材に固定するので、従来品と外観、形状、強度などが劣ることなく、極めて経済的で、かつ、容易に組み立て成型するすることができる。
【発明を実施するための最良の形態】
【０００７】
本発明は、連結片が主部材の挿通穴を挿通して成型される形式のグレーチングであるが、主部材(1) 及び連結片(2) は、一般にはステンレス鋼板により成型され、用途によっては、鋼板、アルミニウム板などにより成型される。これら金属板の厚さは、グレーチングに成型したとき要求される強度、主部材(1) の形状、長さなどにより適宜に決めることができる。
主部材(1) は上記の金属板で成型され、その形状は、一般には断面形状がＴ字形のものであるが、断面形状がＩ字形あるいは逆Ｌ字形のものでもよい。そして、主部材(1) には連結片(2) を挿通する挿通穴(3) が設けられており、この挿通穴(3) は、使用する連結片(2) の数に応じて設けられるが、連結片(2) は１本ないし数本を用いるのが通常である。
挿通穴(3) の形状は、特定の形状に限定されるものではなく、任意の形状とすることができるが、三角形、円形、四角形のいずれかが好ましい。
【０００８】
連結片(2) は、断面形状が屋根型の棒状体または平板棒状体のものが好ましく、これを主部材(1) の脚部(11)に設けられた挿通穴(3) に挿通した後、長手方向左右から押さえ込み、連結片(2) の両側端(4),(4) と少なくとも他の一箇所(5) を挿入穴壁(6) に僅かに食い込ませて固定し、また、各主部材(1) 間における連結片(2) の両側を内側に湾曲変形させて変形部(7) を形成し、主部材(1) の間隔を保持かつ固定する。
連結片(2) を長手方向左右から押さえ込むに当たっては、適宜手段により行うことができるが、例えば、図４および図５に示すようにポンチ(8) とダイ(9) により行えば、極めて容易に連結片(2) を押さえ込むことができる。
【０００９】
上記のダイ(9) は、押さえ込みの度合いに応じて形成された凸状部(10)に、主部材(1) の脚部(11)が嵌入する間隙(12)が間隔をおいて設けられており、ポンチ(8) は、上記ダイ(9) の凸状部(10)に嵌合する凹状部(13)を有し、主部材(1),(1) の間で連結片(2) の上方からダイ(9) の凸状部(10)に嵌合させるように押し込む。これにより、連結片(2) は長手方向左右から押さえ込まれることになる。
この押さえ込みによって、図２に示すように、断面形状が屋根型の棒状体の連結片(2) を三角形の挿通穴(3) に挿通したものにおいては、左右両辺が内側に押されて、連結辺(2) の両側端(4),(4) が挿通穴壁(6) に僅かに食い込み、連結辺(2) の頂部が突き上げられて、挿通穴壁(6) に僅かに食い込む。また、図６に示すように、各主部材(1) 間における連結片の両側が変形して変形部(7) を形成する。
【００１０】
また、図３に示すように、平板棒状体の連結辺(2) を四角形の挿入穴(3) に挿通したものにおいては、湾曲して連結辺(2) の両側端(4),(4) が挿通穴壁(6) に僅かに食い込むと共に、連結辺(2) の中央湾曲部の少なくとも一箇所(5) が挿通穴壁(6) に僅かに食い込む。
この際、連結辺(2) が断面形状が屋根型の棒状体か、平板状棒状体かによって、挿通穴(3) の形状が選択されるのであるが、要は連結辺(2) が長手方向左右から押さえ込まれたとき、連結辺(2) の両側端(4),(4) と少なくとも他の一箇所(5) が挿通穴壁(6) に僅かに食い込むようになればよい。
グレーチングは副部材として従来どおりの短冊板状、軽みぞ形状などの金属板を側板として用い、並列に成型された主部材の両側面に溶接などで接合して固定しても差し支えない。
【実施例】
【００１１】
図２および図３に示すように、所要幅が０．８ｍｍのステンレス鋼板でＴ字形に成型した主部材(1) の脚部(11)に設けられている挿通穴(3) に、同じく所要幅が０．８ｍｍの断面形状が屋根型の棒状体の連結片(2) を挿通し、主部材(1) を所望間隔に配置する。該主材部(1) の脚部(11)を、凸状部(10)を有するダイ(9) に所望間隔を置いて設けた間隙(12)に嵌入させ、主部材(1),(1) 間の上方から、ダイ(9) の凸状部(10)に嵌合する凹状部(13)を有するポンチ(8) で押さえ込む。  この押さえ込みにより、図２に示すように、断面形状が屋根型の棒状体の連結片(2) は、その長手方向左右から押さえ込まれて、連結片(2) の両側端(4),(4) と屋根型の頂部が挿通穴壁(6) に僅かに食い込み固定され、また、各主部材(1) 間における連結片(2) の両側が変形して変形部(7) を形成し、各主部剤(1) の間隔を保持かつ固定する。
図１に示すグレーチングは、上記のようにして、連結片(2) を２本を主部材(1) の挿通穴(3) に挿通して固定したもので、ステンレス製の側板(14)および(15)を４側面に溶接により接合固定して製品としたものである。
【産業上の利用可能性】
【００１２】
本発明のグレーチングは、既に製造販売を計画しており、充分に産業上の利用が可能である。
【図面の簡単な説明】
【００１３】
【図１】本発明のグレーチングの斜視図である。
【図２】断面形状が屋根型の棒状体の連結片を用いた場合の押さえ込み前と押さえ込み後の状態を示す部分側面図である。
【図３】平板棒状体の連結片を用いた場合の押さえ込み前と押さえ込み後の状態を示す部分側面図である。
【図４】ポンチ、連結片を挿通した主部材、ダイを示す斜視図である。
【図５】ポンチで連結片を押さえ込む状態を示す斜視図である。
【図６】本発明のグレーチングにおける主部材と連結片の状態を示す一部拡大斜視図である。
【符号の説明】
【００１４】
１  主部材
２  連結片
３  挿通穴
４  連結片の両側端
５  他の一箇所
６  挿通穴壁
７  変形部
８  ポンチ
９  ダイ
１０  凸状部
１１  主部材の脚部
１２  間隙
１３  凹状部
【図１】
2005036480.tif 000003
【図２】
2005036480.tif 000004
【図３】
2005036480.tif 000005
【図４】
2005036480.tif 000006
【図５】
2005036480.tif 000007
【図６】
2005036480.tif 000008